(57)【要約】      （修正有）【課題】湿り空気を用いた殺菌対象物の殺菌に際し、発生させた湿り空気を効率よく無駄なく使用することができる湿り空気を用いた処理装置を提供する。【解決手段】カバー材４，５で覆われた湿り空気発生装置２と処理空間３からなり、前記湿り空気発生装置２は、貯水された水槽８と、当該水槽８内の水分を温めるための熱源機７と、暖められた水分を粒子化するミスト発生手段１０とからなり、前記処理空間３を覆う前記カバー材４には、処理対象物１２を挿入するための開口部１３が備わり、前記湿り空気発生装置２と前記処理空間３は、前記カバー材４，５内に密閉されて連通する。【選択図】図１
0003131209.tif 000002
【実用新案登録請求の範囲】
【請求項１】
カバー材で覆われた湿り空気発生装置と処理空間からなり、
前記湿り空気発生装置は、貯水された水槽と、当該水槽内の水分を温めるための熱源機と、暖められた水分を粒子化するミスト発生手段とからなり、
前記処理空間を覆う前記カバー材には、処理対象物を挿入するための開口部が備わり、
前記湿り空気発生装置と前記処理空間は、前記カバー材内に密閉されて連通することを特徴とする湿り空気を用いた処理装置。
【請求項２】
前記熱源機は、燃焼ガスを用いた火炎発生装置であることを特徴とする請求項１に記載の湿り空気を用いた処理装置。
【請求項３】
前記処理空間は、前記湿り空気発生装置の上方に位置することを特徴とする請求項１又は２に記載の湿り空気を用いた処理装置。
【請求項４】
前記カバー材のうち、前記水槽上部の空間を覆う部分には、開口部が備わることを特徴とする請求項１〜３のいずれかに記載の湿り空気を用いた処理装置。
【請求項５】
前記カバー材のうち、前記水槽上部の空間を覆う部分は、上下方向に長さ調整可能であることを特徴とする請求項１〜４のいずれかに記載の湿り空気を用いた処理装置。
【考案の詳細な説明】
【技術分野】
【０００１】
この考案は、湿り空気によって手指や物等を消毒、殺菌、乾燥、調理するための湿り空気を用いた処理装置に関するものである。
【背景技術】
【０００２】
手指や物等を殺菌する場合、洗剤等の薬品を用いて行っている。この薬品は、殺菌対象物に応じて適宜変更し、その都度最適な薬品を用いて行うことが好ましいとされている。これに対し、湿り空気も殺菌作用を有する。これを用いて手指や物等の殺菌対象物を消毒することができる。湿り空気を用いた殺菌は、化学薬品等を使用しないため、人体への影響もなく、経済的観点からも好ましい。
【考案の開示】
【考案が解決しようとする課題】
【０００３】
しかしながら、単に湿り空気を発生させただけでは、これを効率よく殺菌に用いることはできない。湿り空気を発生させるには、水と、これを昇温させる加熱機器が必要となるので、発生した湿り空気を効率よく殺菌に用いれば、これらのエネルギーの節約にもなり、経済的にさらに好ましいといえる。
【０００４】
この考案は上記従来技術を考慮したものであって、湿り空気を用いた対象物の処理に際し、発生させた湿り空気を効率よく無駄なく使用することができる湿り空気を用いた処理装置の提供を目的とするものである。
【課題を解決するための手段】
【０００５】
前記目的を達成するため、請求項１の考案では、カバー材で覆われた湿り空気発生装置と処理空間からなり、前記湿り空気発生装置は、貯水された水槽と、当該水槽内の水分を温めるための熱源機と、暖められた水分を粒子化するミスト発生手段とからなり、前記処理空間を覆う前記カバー材には、処理対象物を挿入するための開口部が備わり、前記湿り空気発生装置と前記処理空間は、前記カバー材内に密閉されて連通することを特徴とする湿り空気を用いた処理装置を提供する。
【０００６】
また、請求項２の考案では、請求項１の考案において、前記熱源機は、燃焼ガスを用いた火炎発生装置であることを特徴としている。
【０００７】
また、請求項３の考案では、請求項１又は２の考案において、前記処理空間は、前記湿り空気発生装置の上方に位置することを特徴としている。
【０００８】
また、請求項４の考案では、請求項１〜３のいずれかの考案において、前記カバー材のうち、前記水槽上部の空間を覆う部分には、開口部が備わることを特徴としている。
【０００９】
また、請求項５の考案では、請求項１〜４のいずれかの考案において、前記カバー材のうち、前記水槽上部の空間を覆う部分は、上下方向に長さ調整可能であることを特徴としている。
【考案の効果】
【００１０】
請求項１の考案によれば、湿り空気発生装置で発生した湿り空気が、これと連通する処理空間に、上昇気流やポンプ等によって効率よく送られるので、湿り空気を無駄なく使用して対象物を確実に処理することができる。
【００１１】
請求項２の考案によれば、湿り空気発生装置で発生したミストの蒸発潜熱による温度低下を防止できるので、湿り空気の処理能力を保持したまま処理空間で殺菌対象物を確実に処理することができる。
【００１２】
請求項３の考案によれば、湿り空気はその昇温時における上昇気流で自動的に処理空間３内に流入する。したがって、湿り空気を移動させるための手段を必要とせず、そのためのエネルギーを必要としない。このため、発生した湿り空気を全て無駄なく処理に利用できるとともに、エネルギー効率のよい処理を行うことができる。
【００１３】
請求項４の考案によれば、湿り空気発生装置を覆う部分のカバー材に開口部が備わるので、この開口部の位置、大きさ等を変化させることにより、容易に湿り空気の温度調整をすることができる。したがって、対象物の種類によって、あるいは処理内容によって、湿り空気の温度を調整でき、個々の対象物に応じた最適な処理を行うことができる。
【００１４】
請求項５の考案によれば、湿り空気の流路を変更できるので、その温度制御をすることができる。したがって、対象物によって、あるいは処理内容によって湿り空気の温度を調整でき、個々の対象物に応じた最適な処理を行うことができる。
【考案を実施するための最良の形態】
【００１５】
この考案は、カバー材で覆われた湿り空気発生装置と処理空間からなり、前記湿り空気発生装置は、貯水された水槽と、当該水槽内の水分を温めるための熱源機と、暖められた水分を粒子化するミスト発生手段とからなり、前記処理空間を覆う前記カバー材には、対象物の挿入口が備わり、前記湿り空気発生装置と前記処理空間は、前記カバー材内に密閉されて連通し、湿り空気を無駄なく使用して殺菌対象物を確実に殺菌することができる湿り空気を用いた処理装置である。
【実施例１】
【００１６】
図１はこの考案に係る湿り空気を用いた処理装置の概略断面図である。なお、以下は湿り空気による殺菌を例にして説明する。
【００１７】
湿り空気を用いた処理装置１は、湿り空気発生装置２と、その上部に配設された処理空間３を覆うカバー材４で構成される。湿り空気発生装置２は、例えば円筒形状のカバー材５で覆われ、燃料タンク６、火炎発生部７、容器８、給水タンク９、及び超音波振動子１０で構成される。容器８内には給水タンク９からの水が溜められ、超音波振動子１０が投入される。
【００１８】
この状態で、燃料タンク６内の燃料を用いて火炎発生部７で炎を発生させると、容器８内の水温が上昇する。約６０℃〜７０℃程度まで温まると、超音波振動子１０により水分がミスト化し、水粒となる。さらに高温でミスト化して、高温の湿り空気を発生させることもできる。なお、カバー材４及び５を一体としたカバー材を用いてもよい。
【００１９】
このようにして発生した湿り空気は、上昇気流により網１１を通って湿り空気発生装置２の上部の処理空間３内に流入する。手指や物等の殺菌対象物１２は、カバー材４に形成された開口部１３から処理空間３内の網１１上に載置される。殺菌対象物が手指等の場合は、開口部１３から挿入し、処理空間３内に保持しておく。この処理空間３で、湿り空気による殺菌が行われる。また、開口部１３に扉を設け、殺菌対象物１２が処理空間３内に収納可能なものであれば、当該扉を閉じて処理空間３を密閉することができる。
【００２０】
この構成では、容器８の上部に処理空間３が形成され、これらはカバー材４，５で密閉されて覆われるので、湿り空気はその昇温時における上昇気流で自動的に処理空間３内に流入する。したがって、湿り空気を移動させるための手段を必要とせず、そのためのエネルギーを必要としない。このため、発生した湿り空気を全て無駄なく殺菌に利用できるとともに、エネルギー効率のよい殺菌を行うことができる。
【００２１】
殺菌対象物１２の種類に応じて、カバー材５の長さを調整し、湿り空気の流路を変更すれば、その温度制御をすることができる。また、カバー材５に開口部１４を設けることにより、湿り空気の温度調整をすることもできる。この場合、開口部１４の位置、大きさ等を変化させることにより、容易に湿り空気の温度調整をすることができる。したがって、種々の殺菌対象物１２に応じた最適な殺菌を行うことができる。また、湿り空気を殺菌ではなく調理のために用いる場合、すなわち処理方法が殺菌とは異なる場合でも、上記構成により温度調整をして最適な調理を行うことができる。つまり、処理方法に応じた最適な温度調整を行うことができる。
【００２２】
火炎発生部７は容器８内の水温を上昇できるものであれば、温熱ヒーター等でもよく、熱源機であればどのような機器を用いてもよい。また、燃料タンク６には、熱源機の種類に応じて、液体や気体等、どのような燃料が入れられてもよい。容器８内の水分が減少したときは、給水タンク９のバルブ１５を開けて給水される。特に、燃焼ガスを用いる熱源機を用いれば、湿り空気発生装置２で発生したミストの蒸発潜熱による温度低下を防止できるので、湿り空気の殺菌能力を保持したまま処理空間３で殺菌対象物１２を確実に殺菌することができるため、好適である。
【００２３】
なお、上述では処理空間３での殺菌作用を例にして説明したが、殺菌対象物１２を調理の対象物とすれば、処理空間３にて湿り空気を用いた調理を行うこともできる。すなわち、処理装置１は、対象物をミストからなる湿り空気雰囲気中で処理するものであり、消毒や調理、乾燥等もできるものである。
【実施例２】
【００２４】
図２はこの発明に係る別の湿り空気を用いた処理装置の概略断面図である。
【００２５】
この実施例では、湿り空気発生装置２のカバー材５の上部にベンチュリ部１６が形成され、その上部に備わるノズル１８内の湿り空気の流路に圧力ポンプ１７が備わるものである。この湿り空気を用いた処理装置１で殺菌を行う場合、まず、容器８内の水を火炎発生部７による熱で温めて蒸気化させる。蒸気化した水分は上昇気流によりベンチュリ部１６からノズル１８内に流入する。ここで、圧力ポンプ１７により小孔からなる噴出し口１９に圧送される。したがって、ノズル１８内に流入した蒸気は圧力ポンプ１７により粒子化され、湿り空気となる。これが噴出し口１９から噴出することにより、殺菌対象物１２が湿り空気により殺菌される。
【００２６】
この構成では、容器８の上部にベンチュリ部１６が形成されるので、蒸気化した水分はその上昇気流で自動的にノズル１８内に流入する。したがって、そのための動力を必要とせず、エネルギーも必要としない。その他の構成、作用、効果は図１と同様である。
【図面の簡単な説明】
【００２７】
【図１】この考案に係る湿り空気を用いた処理装置の概略断面図である。
【図２】この考案に係る別の湿り空気を用いた処理装置の概略断面図である。
【符号の説明】
【００２８】
１：湿り空気を用いた処理装置、２：湿り空気発生装置、３：処理空間、４：カバー材、５：カバー材、６：燃料タンク、７：火炎発生部、８：容器、９：給水タンク、１０：超音波振動子、１１：網、１２：殺菌対象物、１３：開口部、１４：開口部、１５：バルブ、１６：ベンチュリ部、１７：圧力ポンプ、１８：ノズル、１９：噴出し口
【図１】
0003131209.tif 000003
【図２】
0003131209.tif 000004